(57)【要約】【課題】ヒータの位相制御使用時のヒータ点灯の電力制御の精度を向上させことができる画像形成装置を提供する。【解決手段】この装置では、交流電源１１６に接続されて交流電力が供給される定着装置１１４の定着ヒータ１１５に対し、ヒータ制御装置の制御部（ＣＰＵ）１２０がゼロクロス信号生成回路１１７からのゼロクロス信号の検出タイミングのずれが所定値以上である場合、全点灯が割り当てられた半波長、或いは一部点灯が割り当てられた半波長の次の半波長に全点灯を割り当てて点灯制御を行い、具体的にはちらつき抑制用にヒータ１１５のオン時間の制御に際して交流電力の半波長の一部のみヒータ１１５をオンにし、上側又は下側の半波長の何れかを間引きしながら位相制御することにより、ヒータ１１５の点灯時の電圧降下によってゼロクロスタイミングがずれても、ゼロクロス信号の変動誤差の影響を受けないようにヒータ１１５を狙ったタイミングで点灯制御する。【選択図】図２
2018010193.tif 000002
【特許請求の範囲】
【請求項１】
所定の加熱対象物を加熱するヒータへ供給する交流電力を制御するヒータ制御装置を備えた画像形成装置であって、
前記ヒータ制御装置は、前記交流電力のゼロクロス点を検出してゼロクロス信号を生成するゼロクロス信号生成手段と、前記ゼロクロス信号の検出タイミングに応じて前記ヒータのオン時間を制御して当該ヒータの点灯を制御するヒータ点灯制御手段と、前記ヒータの点灯に伴う前記ゼロクロス信号の検出タイミングのずれを算出する算出手段と、を備え、
前記ヒータ点灯制御手段は、前記算出手段で算出された前記ずれが所定値以上である場合、全点灯が割り当てられた半波長、或いは一部点灯が割り当てられた半波長の次の半波長に当該全点灯を割り当てて点灯制御を行うことを特徴とする画像形成装置。
【請求項２】
請求項１記載の画像形成装置において、
前記ヒータ点灯制御手段は、前記ヒータのオン時間の制御に際して前記交流電力の半波長の一部のみ当該ヒータをオンにし、上側又は下側の半波長の何れかを間引きしながら位相制御することにより、前記ゼロクロス信号の変動誤差の影響を受けないように前記点灯制御を行うことを特徴とする画像形成装置。
【請求項３】
請求項１又は２記載の画像形成装置において、
前記ゼロクロス信号生成手段は、前記交流電力をダイオードブリッジを介して全波整流してからフォトカプラに供給することで前記ゼロクロス点を検出すると共に、電圧レベルが反転するパルス信号によって前記ゼロクロス信号を生成することを特徴とする画像形成装置。
【請求項４】
請求項１又は２記載の画像形成装置において、
前記ヒータ点灯制御手段は、前記ゼロクロス信号に応じて前記ヒータに接続されたトライアックをＯＮにして前記交流電力を制御することを特徴とする画像形成装置。
【請求項５】
請求項１又は２記載の画像形成装置において、
交流電源の電源電圧を検出する電圧検出手段を備え、
前記ヒータ点灯制御手段は、前記電圧検出手段で検出された前記電源電圧の電圧降下に伴って前記ゼロクロス信号の変動誤差の発生を判定した場合に前記点灯制御を実施することを特徴とする画像形成装置。
【請求項６】
請求項５記載の画像形成装置において、
前記ヒータ点灯制御手段は、前記電圧検出手段で検出した前記ヒータの点灯前と点灯後との前記電源電圧との差分で得られる電圧降下値が予め設定された閾値を上回った場合、前記ゼロクロス信号の変動誤差の発生を判定することを特徴とする画像形成装置。
【請求項７】
請求項６記載の画像形成装置において、
前記ヒータ点灯制御手段は、前記ヒータの点灯前の電源電圧波形の半波長の実効値に対し、当該ヒータの点灯後の当該電源電圧波形の半波長の実効値に対する補正用として、予めメモリに記憶された当該ヒータの点灯によって降下した電圧に対する位相デューティの半波長の実効値を示す補正表のデータに基づいて補正した補正後の実効値を減算した結果で前記電圧降下値を算出することを特徴とする画像形成装置。
【発明の詳細な説明】
【技術分野】
【０００１】
本発明は、画像形成装置に関する。
【背景技術】
【０００２】
従来、ＭＦＰ（Ｍｕｌｔｉ−Ｆｕｎｃｔｉｏｎ  Ｐｒｉｎｔｅｒ）に代表される電子写真方式の画像形成装置に用いられる定着ヒータには、ハロゲンヒータを用いる場合が多い。ところが、ハロゲンヒータは、その抵抗特性から通電開始時に突入電流を発生し、同一電源の蛍光灯にちらつきを発生させるという問題がある。
【０００３】
そこで、こうした問題を解決するため、交流電圧の半波長の一部のみヒータをオンし、オン時間を制御する位相制御によってちらつきを抑制する技術が知られている。これに関連する周知技術として、フリッカに対して安定した品質を維持することができる「ヒータ制御装置、画像形成装置、ヒータ制御方法およびヒータ制御プログラム」（特許文献１参照）が挙げられる。
【発明の概要】
【発明が解決しようとする課題】
【０００４】
上述した特許文献１に係る技術では、ヒータの点灯サイクルを１０半波長に設定し、この制御周期内で予め設定された全点灯又は全消灯が割り当てられた通電パターンで制御する半波長制御を実施することによって突入電流の発生を抑制することを目的とし、半波長制御の実施の前後に交流電圧の半波長の一部のみヒータをオンし、徐々にオン時間を長くする位相制御を実行する手法が開示されている。
【０００５】
しかしながら、特許文献１に係る技術によれば、ヒータの点灯の際に前の半波長でのヒータ点灯時の電圧降下によってゼロクロスタイミングがずれ、次の半波長でヒータが狙ったタイミングで点灯できず、電力制御の精度が悪化してしまうという問題があった。
【０００６】
本発明は、このような問題点を解決すべくなされたもので、その技術的課題は、ヒータの位相制御使用時のヒータ点灯の電力制御の精度を向上させことができる画像形成装置を提供することにある。
【課題を解決するための手段】
【０００７】
上記技術的課題を解決するため、本発明の一形態は、所定の加熱対象物を加熱するヒータへ供給する交流電力を制御するヒータ制御装置を備えた画像形成装置であって、ヒータ制御装置は、交流電力のゼロクロス点を検出してゼロクロス信号を生成するゼロクロス信号生成手段と、ゼロクロス信号の検出タイミングに応じてヒータのオン時間を制御して当該ヒータの点灯を制御するヒータ点灯制御手段と、ヒータの点灯に伴うゼロクロス信号の検出タイミングのずれを算出する算出手段と、を備え、ヒータ点灯制御手段は、算出手段で算出されたずれが所定値以上である場合、全点灯が割り当てられた半波長、或いは一部点灯が割り当てられた半波長の次の半波長に当該全点灯を割り当てて点灯制御を行うことを特徴とする。
【発明の効果】
【０００８】
本発明によれば、上記構成により、ヒータの位相制御使用時のヒータ点灯の電力制御の精度を向上させことができるようになる。上記した以外の課題、構成及び効果は、以下の実施の形態の説明により明らかにされる。
【図面の簡単な説明】
【０００９】
【図１】本発明の実施例に係る画像形成装置の基本構成を側面方向で断面にして示した概略図である。
【図２】図１に示す画像形成装置の要部となる交流電源を含むヒータ制御装置及び定着装置を示した概略ブロック図である。
【図３】図２に示すヒータ制御装置に備えられるゼロクロス信号生成回路の細部構成を例示した図である。
【図４】図２に示すヒータ制御装置の制御部による定着装置の定着ヒータに対して周知技術を適用して交流電力の位相制御で点灯させたときに生じるゼロクロスタイミングのずれの原因とそれにより生じる電力制御の精度が悪化する様子を説明するために示した電源電圧、ゼロクロス信号、及び定着ヒータに流れる電流の波形を示したタイミングチャートである。
【図５】図２に示すヒータ制御装置の制御部による定着装置の定着ヒータに対して実施例を適用して位相制御を間引いて行った場合の電源電圧、ゼロクロス信号、及び定着ヒータに流れる電流の波形を示したタイミングチャートである。
【図６】図２に示すヒータ制御装置の制御部による定着装置の定着ヒータへ供給する交流電力に係るゼロクロス信号の誤差検出時の位相制御の有無、ゼロクロス誤差発生の有無に応じた点灯制御の動作処理を示すフローチャートである。
【図７】図２に示すヒータ制御装置の制御部による定着装置の定着ヒータの点灯の有無に応じた交流電源の電源電圧の検出結果を利用したゼロクロス信号の誤差検出の動作処理を示すフローチャートである。
【図８】図７で説明した動作処理に含まれる交流電源の電源電圧の電圧降下値の算出の詳細事項を説明するために示す電源電圧の波形図である。
【図９】図８を参照して説明した電圧降下値の算出に供される定着ヒータの点灯時の電源電圧の半波長の実効値を補正するために使用されると共に、予めメモリに記憶された定着ヒータの点灯によって降下した電圧に対する位相デューティの半波長の実効値を示す補正表のデータを例示した図である。
【発明を実施するための形態】
【００１０】
以下に、本発明の画像形成装置について、実施例を挙げ、図面を参照して詳細に説明する。
【実施例】
【００１１】
図１は、本発明の実施例に係る画像形成装置の基本構成を側面方向で断面にして示した概略図である。
【００１２】
図１を参照すれば、ここでの画像形成装置１００は、複写機能と、プリンタ機能、スキャナ機能、ファクシミリ機能等の複数の機能を一つの筐体に纏めたデジタル複合機仕様であり、操作部のアプリケーション切り替えキーにより、これらの機能を順次に切り替えて選択することが可能となっている。例えば複写機能の選択時には複写モードとなり、プリンタ機能の選択時にはプリンタモードとなり、スキャナ機能の選択時にはスキャナモードとなり、ファクシミリモードの選択時にはファクシミリモードとなる。
【００１３】
この画像形成装置１００での画像形成の流れについて、複写モードを例にして簡単に説明する。複写モードでは、原稿束が自動原稿送り装置（ＡＤＦ：Ａｕｔｏｍａｉｃ  Ｄｏｃｕｍｅｎｔ  Ｆｅｅｄｅｒ）１０により、順に画像読み取り装置２０に給送され、画像読み取り装置２０で画像情報が読み取られる。読み取られた画像情報は、画像処理手段を介して書き込み手段としての書き込みユニット３０により光情報に変換され、キャパシタユニット５０上のプリンタユニット４０における感光体ドラム１１１が略図する帯電器により一様に帯電された後に書き込みユニット３０からの光情報で露光されることにより静電潜像が形成される。この感光体ドラム１１１上の静電潜像は現像装置１１２により現像されてトナー像となる。このトナー像は、搬送ベルト１１３により転写紙に転写され、転写紙のトナー像が定着装置１１４により定着された後にトレーに排出される。
【００１４】
図２は、実施例に係る画像形成装置１００の要部となる交流電源１１６を含むヒータ制御装置及び定着装置１１４を示した概略ブロック図である。
【００１５】
図２を参照すれば、ヒータ制御装置は、所定の加熱対象物（上述した例では転写紙）を加熱する定着装置１１４の定着ヒータ１１５へ供給する交流電力を制御するもので、定着ヒータ１１５へ電力供給する電源には商用電源である交流電源１１６を用いることができる。定着装置１１４の定着ヒータ１１５への電源ラインの一方には電磁リレーＭＲ１及び配電部インピーダンスＺを接続し、定着ヒータ１１５への電源ラインの他方にはトライアック（ＴＲＣ）１１９及び電磁リレーＭＲ２を接続している。また、定着ヒータ１１５への電源ラインの双方には交流電源１１６の電源電圧を検出するための電圧検出回路１１８、並びに交流電源１１６の交流電力のゼロクロス点を検出してゼロクロス信号を生成するゼロクロス信号生成手段としてのゼロクロス信号生成回路１１７が接続されている。これにより、交流電源１１６からの交流電力は、定着装置１１４の定着ヒータ１１５とゼロクロス信号生成回路１１７とに供給される。
【００１６】
上述したヒータ制御装置について、具体的に云えば、トライアック（ＴＲＣ）１１９、電圧検出回路１１８、及びゼロクロス信号生成回路１１７を含む他、これらに接続されてゼロクロス信号の検出タイミングに応じて定着ヒータ１１５のオン時間を制御して定着ヒータ１１５の点灯を制御するヒータ点灯制御手段として機能すると共に、定着ヒータ１１５の点灯に伴うゼロクロス信号の検出タイミングのずれを算出する算出手段として機能する制御部（ＣＰＵ）１２０を含んで構成される。ここでの制御部（ＣＰＵ）１２０は、算出されたずれが所定値以上である場合、全点灯が割り当てられた半波長、或いは一部点灯が割り当てられた半波長の次の半波長に全点灯を割り当てて点灯制御を行うものである。このとき、トライアック（ＴＲＣ）１１９は、交流電源１１６から供給される交流電力を制御部（ＣＰＵ）１２０からの制御信号によってＯＮ／ＯＦＦし、定着ヒータ１１５を点灯する交流電力を制御する。尚、電磁リレーＭＲ１、ＭＲ２は、画像形成装置の筐体に設けたドアの開閉に応動するスイッチによって定着ヒータ１１５への電源ラインを断続する動作、即ち、ドアを開くと定着ヒータ１１５への交流電力供給を切断する動作を行う。また、電圧検出回路は、配電部インピーダンスＺによって降下した後の電源電圧を検出し、その検出結果が制御部（ＣＰＵ）１２０によってメモリ１２１に格納された閾値と比較されることにより、上述した点灯制御の動作（後文で詳述する）を実施するか否かが判断される。そうした意味ではメモリ１２１もヒータ制御装置に含まれるとみなして良い。
【００１７】
図３は、上述したヒータ制御装置に備えられるゼロクロス信号生成回路１１７の細部構成を例示した図である。
【００１８】
図３を参照すれば、ゼロクロス信号生成回路１１７は、交流電源１１６から供給される交流電力をダイオードブリッジ１１７ａを介して全波整流してからフォトカプラ１１７ｂに供給することでゼロクロス点を検出すると共に、全波整流した波形がゼロクロス点を含む或る閾値電圧以下になると、フォトカプラ１１７ｂ内のフォトトランジスタが非導通となり、閾値電圧超過の場合とで電圧レベルが反転するパルス信号によってゼロクロス信号を生成出力する。
【００１９】
図４は、上述したヒータ制御装置の制御部（ＣＰＵ）１２０による定着装置１１４の定着ヒータ１１５に対して周知技術を適用して交流電力の位相制御で点灯させたときに生じるゼロクロスタイミングのずれの原因とそれにより生じる電力制御の精度が悪化する様子を説明するために示した電源電圧、ゼロクロス信号、及び定着ヒータ１１５に流れる電流の波形を示したタイミングチャートである。
【００２０】
図４を参照すれば、ここでは制御部（ＣＰＵ）１２０が定着ヒータ１１５を位相制御で点灯させた場合、前の半波長で定着ヒータ１１５をＯＮにして突入電流が発生すると、配電部インピーダンスＺによって電源電圧が降下し、フォトカプラ１１７ｂが非導通となってメモリ１２１に記憶されている閾値を下回るタイミングが早まる。これにより、ゼロクロス信号生成回路１１７から生成出力されるゼロクロス信号のタイミングが早まって出力され、制御部（ＣＰＵ）１２０による位相制御では、ゼロクロス信号の立下りタイミングから任意のタイミングでトライアック（ＴＲＣ）１１９をＯＮとし、定着ヒータ１１５の点灯が開始され、電源電圧がゼロクロス点になるとトライアック（ＴＲＣ）１１９はＯＦＦとなり、定着ヒータ１１５の点灯が終了する。この結果、ゼロクロスタイミングのずれが発生した次の半波長では、定着ヒータ１１５の点灯を狙ったタイミングで実施できなくなるという問題が発生する。即ち、図４中では、ゼロクロス信号のゼロクロスの立ち下がりから定着ヒータ１１５のＯＮまでの期間Ｃに継続する定着ヒータ１１５に流れる電流の波形について、定着ヒータ１１５の電流ＯＮ時間を示す半波長のときの期間Ａよりも次の半波長の期間Ｂの方が大きくなってしまう事態になり、これによって電力制御の精度が悪化することを示している。
【００２１】
図５は、上述したヒータ制御装置の制御部（ＣＰＵ）１２０による定着装置１１４の定着ヒータ１１５に対して実施例を適用して位相制御を間引いて行った場合の電源電圧、ゼロクロス信号、及び定着ヒータ１１５に流れる電流の波形を示したタイミングチャートである。
【００２２】
図５を参照すれば、ここでは制御部（ＣＰＵ）１２０が定着ヒータ１１５の位相制御を間引いて行った場合、定着ヒータ１１５の点灯を間引いてＯＮすることにより、ゼロクロス信号生成回路１１７から生成出力されるゼロクロス信号の立下りのタイミングのずれを発生しても、次の半波長では定着ヒータ１１５の点灯がＯＦＦであるため、点灯制御にずれの影響が及ぶことはない。また、定着ヒータ１１５の点灯がＯＦＦになったことにより、ゼロクロスタイミングのずれはリセットされる。この結果、次に定着ヒータ１１５をＯＮするときは、ゼロクロスタイミングのずれの影響を受けずに、定着ヒータ１１５を狙ったタイミングで点灯することができる。即ち、図５中では、ゼロクロス信号のゼロクロスの立ち下がりから定着ヒータ１１５のＯＮまでの期間Ｃに継続する定着ヒータ１１５に流れる電流の波形について、特筆すべき点は常に上側（或いは下側としても良い）の半波長を間引いていることであって、従来の点灯パターンとは異なり、図５に示す点灯パターンを繰り返しても、定着ヒータ１１５の電流ＯＮ時間を示す半波長のときの期間Ａがゼロクロスタイミングのずれの影響（ゼロクロス信号の変動誤差の影響）を受けないように点灯制御を行うことができる。要するに、制御部（ＣＰＵ）１２０が定着ヒータ１１５のオン時間の制御に際して交流電力の半波長の一部のみ定着ヒータ１１５をオンにし、上側又は下側の半波長の何れかを間引きしながら位相制御することにより、ゼロクロス信号の変動誤差の影響を受けないように点灯制御を行うことが可能になる。
【００２３】
図６は、上述したヒータ制御装置の制御部（ＣＰＵ）１２０による定着装置１１４の定着ヒータ１１５へ供給する交流電力に係るゼロクロス信号の誤差検出時の位相制御の有無、ゼロクロス誤差発生の有無に応じた点灯制御の動作処理を示すフローチャートである。
【００２４】
図６を参照すれば、制御部（ＣＰＵ）１２０では最初にゼロクロス信号生成回路１１７からのゼロクロス信号の誤差検出（ステップＳ１）の処理を行った後、定着ヒータ１１５の点灯制御に位相制御が実施されているか否かの判定（ステップＳ２）を行う。この判定の結果、位相制御が実施されていなければそのまま通常の点灯制御を続行（ステップＳ３）するが、位相制御が実施されていれば引き続いてゼロクロス信号にゼロクロス誤差が発生しているか否かの判定（ステップＳ４）を行う。この判定の結果、ゼロクロス信号にゼロクロス誤差が発生していれば上側又は下側の何れかを間引いた位相制御を開始（ステップＳ５）するが、位相制御が実施されていてもゼロクロス信号にゼロクロス誤差が発生していなければ通常の点灯制御を続行（ステップＳ３）させるようにする。
【００２５】
図７は、上述したヒータ制御装置の制御部（ＣＰＵ）１２０による定着装置１１４の定着ヒータ１１５の点灯の有無に応じた交流電源の電源電圧の検出結果を利用したゼロクロス信号の誤差検出の動作処理を示すフローチャートである。
【００２６】
図７を参照すれば、制御部（ＣＰＵ）１２０ではゼロクロス信号生成回路１１７からのゼロクロス信号の誤差検出をスタートすると、最初に定着ヒータ１１５が点灯されていないＯＦＦ状態の交流電源１１６の電源電圧Ｖ１を電圧検出回路１１８から検出（ステップＳ１）した後、定着ヒータ１１５をＯＮ（ステップＳ２）にして点灯する。次に、制御部（ＣＰＵ）１２０は、定着ヒータ１１５が点灯されたＯＮ状態での交流電源１１６の電源電圧Ｖ２を電圧検出回路１１８から検出（ステップＳ３）する。そこで、制御部（ＣＰＵ）１２０は、定着ヒータ１１５を点灯していないＯＦＦ状態の電源電圧Ｖ１と定着ヒータ１１５を点灯したＯＮ状態の電源電圧Ｖ２との差分（定着ヒータ１１５による電源電圧降下値）が予め設定されたメモリ１２１に格納されている閾値を超過しているか否かを、Ｖ１−Ｖ２＞閾値であるか否かの判定（ステップＳ４）により行う。この判定の結果、差分（電源電圧降下値）が大きくて閾値を上回っていればゼロクロス誤差が発生（ステップＳ５）したとみなすが、差分（電源電圧降下値）が閾値以下であればゼロクロス誤差が発生していないゼロクロス誤差なし（ステップＳ６）とみなす。
【００２７】
図８は、図７で説明した動作処理に含まれる交流電源１１６の電源電圧Ｖ１、Ｖ２の電圧降下値（差分＝Ｖ１−Ｖ２）の算出の詳細事項を説明するために示す電源電圧の波形図である。
【００２８】
図８を参照すれば、ここでは図７を参照して説明した定着ヒータ１１５が点灯されていないＯＦＦ状態の交流電源１１６の電源電圧Ｖ１は、電源電圧波形の下側の半波長（或いは上側の半波長としても良い）の実効値であることを示している。また、定着ヒータ１１５が点灯されているＯＮ状態の交流電源１１６の電源電圧Ｖ２については、定着ヒータ１１５の点灯後の電源電圧波形の下側の半波長（或いは上側の半波長としても良い）の実効値に対する補正用として、予めメモリ１２１に記憶された定着ヒータ１１５の点灯によって降下した電圧に対する位相デューティの半波長の実効値を示す補正表のデータに基づいて補正した補正後の実効値であり、電圧降下値はここでの実効値の電源電圧Ｖ１から補正後の実効値の電源電圧Ｖ２を減算した結果で得られる。
【００２９】
図９は、図８を参照して説明した電圧降下値の算出に供される定着ヒータ１１５の点灯時の電源電圧Ｖ２の半波長の実効値を補正するために使用されると共に、予めメモリ１２１に記憶された定着ヒータ１１５の点灯によって降下した電圧に対する位相デューティの半波長の実効値を示す補正表のデータを例示した図である。
【００３０】
図９を参照すれば、ここではメモリ１２１に予めテーブル形式で定着ヒータ１１５の点灯時の電源電圧Ｖ２の半波長の実効値を補正するための位相デューティ（％）に対応する補正用の半波長の実効値が格納されており、制御部（ＣＰＵ）１２０が電圧降下値を算出する場合には例えば電圧検出回路１１８から得られた定着ヒータ１１５の点灯後の電源電圧Ｖ２の実効値が９５Ｖｒｍｓであり、位相デューティ５０％であったとすると、メモリ１２１の補正表のデータを参照して、最初に位相デューティ５０％の列における９５Ｖｒｍｓ近い値の９５．１３Ｖｒｍｓを選択し、この値の行の電源電圧Ｖ２が定着ヒータ１１５の点灯によって降下した電圧値を示す補正後の実効値として、９０Ｖを使用する。
【００３１】
以上に説明した通り、実施例に係る画像形成装置によれば、交流電源１１６に接続されて交流電力が供給される定着装置１１４の定着ヒータ１１５に対し、ヒータ制御装置の制御部（ＣＰＵ）１２０がゼロクロス信号生成回路１１７からのゼロクロス信号の検出タイミングのずれが所定値以上である場合、全点灯が割り当てられた半波長、或いは一部点灯が割り当てられた半波長の次の半波長に全点灯を割り当てて点灯制御を行い、具体的にはちらつきを抑制するために定着ヒータ１１５のオン時間の制御に際して交流電力の半波長の一部のみ定着ヒータ１１５をオンにし、上側又は下側の半波長の何れかを間引きしながら位相制御することにより、定着ヒータ１１５の点灯時の電圧降下によってゼロクロス信号のゼロクロスタイミングがずれても、ゼロクロス信号の変動誤差の影響を受けないように定着ヒータ１１５を狙ったタイミングで点灯制御を行うことができるため、定着ヒータ１１５の位相制御使用時のヒータ点灯の電力制御の精度を向上させことができるようになる。
【符号の説明】
【００３２】
１０  自動原稿送り装置（ＡＤＦ）
２０  画像読み取り装置
３０  書き込みユニット
４０  プリンタユニット
５０  キャパシタユニット
１１１  感光体ドラム
１１２  現像装置
１１３  搬送ベルト
１１４  定着装置
１１５  定着ヒータ
１１６  交流電源
１１７  ゼロクロス信号生成回路
１１７ａ  ダイオードブリッジ
１１７ｂ  フォトカプラ
１１８  電圧検出回路
１１９  トライアック（ＴＲＣ）
１２０  制御部（ＣＰＵ）
１２１  メモリ
【先行技術文献】
【特許文献】
【００３３】
【特許文献１】特許５３７５４７７号公報
【図１】
2018010193.tif 000003
【図２】
2018010193.tif 000004
【図３】
2018010193.tif 000005
【図４】
2018010193.tif 000006
【図５】
2018010193.tif 000007
【図６】
2018010193.tif 000008
【図７】
2018010193.tif 000009
【図８】
2018010193.tif 000010
【図９】
2018010193.tif 000011